(57)【要約】【課題】空気に含まれる放射性有機ヨウ素や塵埃を確実に捕集かつ除去することができる放射性有機ヨウ素除去フィルタを提供する。【解決手段】放射性有機ヨウ素除去フィルタ１０Ａは、空気を取り入れる開口部１１と、袋状に成型されたフィルタ部１２と、空気をフィルタ部１２の内部空間１４に送り込む送風機１３とから形成されている。フィルタ部１２は、袋状の第１繊維不織布と、空気に含まれる塵埃の除去に使用される袋状の静電フィルタと、空気に含まれる放射性有機ヨウ素の除去に使用される袋状の活性炭素繊維シートと、袋状の第２繊維不織布２０とから形成されている。【選択図】図１
2012237688.tif 000002
【特許請求の範囲】
【請求項１】
空気を取り入れる開口部と、前記開口部につながって袋状に成型され、空気を取り入れて膨らむ内部空間を有してその空気が通流するフィルタ部と、前記開口部に設置されて外部の空気を該開口部から前記フィルタ部の内部空間に送り込む送風機とから形成され、前記フィルタ部が、活性炭素繊維から作られて空気に含まれる放射性有機ヨウ素の除去に使用される袋状の活性炭素繊維シートから形成されている放射性有機ヨウ素除去フィルタ。
【請求項２】
前記フィルタ部が、前記内部空間の側に位置して前記活性炭素繊維シートの内面を包被する袋状の第１繊維不織布と、前記活性炭素繊維シートの外側に位置して該活性炭素繊維シートの外面を包被する袋状の第２繊維不織布とを含む請求項１に記載の放射性有機ヨウ素除去フィルタ。
【請求項３】
前記フィルタ部が、空気に含まれる塵埃の除去に使用され、前記第１繊維不織布と前記活性炭素繊維シートとの間に介在して該第１繊維不織布の外面を包被する袋状の静電フィルタを含む請求項２に記載の放射性有機ヨウ素除去フィルタ。
【請求項４】
前記フィルタ部が、空気に含まれる塵埃の除去に使用され、前記活性炭素繊維シートと前記第２繊維不織布との間に介在して該活性炭素繊維シートの外面を包被する袋状の静電フィルタを含む請求項２または請求項３に記載の放射性有機ヨウ素除去フィルタ。
【請求項５】
前記放射性有機ヨウ素除去フィルタが、前記開口部につながる２つ以上のフィルタ部を有する請求項１ないし請求項４いずれかに記載の放射性有機ヨウ素除去フィルタ。
【請求項６】
前記放射性有機ヨウ素除去フィルタの未使用時では、扁平状態にある前記フィルタ部を前記開口部に向かって畳むことが可能である請求項１ないし請求項５いずれかに記載の放射性有機ヨウ素除去フィルタ。
【請求項７】
前記活性炭素繊維シートにおける面速が、８〜２０ｃｍ／ｓｅｃの範囲にある請求項１ないし請求項６いずれかに記載の放射性有機ヨウ素除去フィルタ。
【請求項８】
前記第１および第２繊維不織布の厚みが、０．２〜０．７ｍｍの範囲、前記静電フィルタの厚みが、２〜７ｍｍの範囲にあり、前記活性炭素繊維シートの厚みが、２〜４ｍｍの範囲にある請求項３ないし請求項７いずれかに記載の放射性有機ヨウ素除去フィルタ。
【請求項９】
前記放射性有機ヨウ素を吸着するアミン類が、前記活性炭素繊維シートを形成する活性炭素繊維に添着され、空気の湿度９５％における前記活性炭素繊維シートの放射性有機ヨウ素除去効率が、９５％以上である請求項１ないし請求項８いずれかに記載の放射性有機ヨウ素除去フィルタ。
【請求項１０】
前記アミン類が、トリエチレンジアミンＣ６Ｈ１２Ｎ２であり、前記活性炭素繊維の単位重量に対する前記トリエチレンジアミンＣ６Ｈ１２Ｎ２の添着量が、１０〜２０重量％の範囲にある請求項９に記載の放射性有機ヨウ素除去フィルタ。
【請求項１１】
前記活性炭素繊維シートが、繊維不織布、織物、編み物のうちのいずれかの形態を有する請求項１ないし請求項１０いずれかに記載の放射性有機ヨウ素除去フィルタ。
【発明の詳細な説明】
【技術分野】
【０００１】
本発明は、空気中に含まれる塵埃や放射性有機ヨウ素の除去に使用される放射性有機ヨウ素除去フィルタに関する。
【背景技術】
【０００２】
細孔直径３〜３０ｎｍの細孔容積が０．１５ｃｃ／ｇ以下であって、細孔直径３ｎｍ未満の細孔容積が０．５０ｃｃ／ｇ以上の繊維状活性炭から形成されたシートにアミンを添着した放射性物質モニタリング材がある（特許文献１参照）。この放射性物質モニタリング材は、原子力関連施設や放射線発生装置を利用する医療機関において空気中の放射性物質の除去、特に放射性ヨウ素やヨウ化メチルの除去に利用される。
【先行技術文献】
【特許文献】
【０００３】
【特許文献１】特開２００４−１５６９６３号公報
【発明の概要】
【発明が解決しようとする課題】
【０００４】
前記特許文献１に開示の放射性物質モニタリング材は、アミンを添着したシートに空気を強制的に通流させる手段がなく、シートの放射性物質除去機能を十分に活用することができない。また、この放射性物質モニタリング材に空気を強制的に通流させたとしても、それの面速が速いと、放射性物質の除去性能が低下し、放射性物質（特に放射性有機ヨウ素）を確実に除去することができない場合がある。逆に面速を遅くすると、単位時間当たりの空気の清浄処理量が低下してしまう場合がある。
【０００５】
本発明の目的は、空気に含まれる放射性有機ヨウ素を確実に捕集かつ除去することができるとともに、単位時間当たりの空気の清浄処理量を多くすることができる放射性有機ヨウ素除去フィルタを提供することにある。
【課題を解決するための手段】
【０００６】
前記課題を解決するための本発明にかかる放射性有機ヨウ素除去フィルタの特徴は、空気を取り入れる開口部と、開口部につながって袋状に成型され、空気を取り入れて膨らむ内部空間を有してその空気が通流するフィルタ部と、開口部に設置されて外部の空気を開口部からフィルタ部の内部空間に送り込む送風機とから形成され、フィルタ部が活性炭素繊維から作られて空気に含まれる放射性有機ヨウ素の除去に使用される袋状の活性炭素繊維シートから形成されている。
【０００７】
本発明の一例としては、フィルタ部が、内部空間の側に位置して活性炭素繊維シートの内面を包被する袋状の第１繊維不織布と、活性炭素繊維シートの外側に位置して活性炭素繊維シートの外面を包被する袋状の第２繊維不織布とを含む。
【０００８】
本発明の他の一例としては、フィルタ部が、空気に含まれる塵埃の除去に使用され、第１繊維不織布と活性炭素繊維シートとの間に介在して第１繊維不織布の外面を包被する袋状の静電フィルタを含む。
【０００９】
本発明の他の一例としては、フィルタ部が、空気に含まれる塵埃の除去に使用され、活性炭素繊維シートと第２繊維不織布との間に介在して活性炭素繊維シートの外面を包被する袋状の静電フィルタを含む。
【００１０】
本発明の他の一例としては、放射性有機ヨウ素除去フィルタが開口部につながる２つ以上のフィルタ部を有する。
【００１１】
本発明の他の一例として、放射性有機ヨウ素除去フィルタの未使用時では、扁平状態にあるフィルタ部を開口部に向かって畳むことが可能である。
【００１２】
本発明の他の一例としては、活性炭素繊維シートにおける面速が８〜２０ｃｍ／ｓｅｃの範囲にある。
【００１３】
本発明の他の一例としては、第１および第２繊維不織布の厚みが０．２〜０．７ｍｍの範囲、静電フィルタの厚みが２〜７ｍｍの範囲にあり、活性炭素繊維シートの厚みが２〜４ｍｍの範囲にある。
【００１４】
本発明の他の一例としては、放射性有機ヨウ素を吸着するアミン類が活性炭素繊維シートを形成する活性炭素繊維に添着され、空気の湿度９５％における活性炭素繊維シートの放射性有機ヨウ素除去効率が９５％以上である。
【００１５】
本発明の他の一例としては、アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある。
【００１６】
本発明の他の一例としては、活性炭素繊維シートが繊維不織布、織物、編み物のうちのいずれかの形態を有する。
【発明の効果】
【００１７】
本発明にかかる放射性有機ヨウ素除去フィルタによれば、送風機を利用して袋状のフィルタ部の内部空間に外部の空気を送り込み、フィルタ部を形成する活性炭素繊維シートにその空気を通流させるから、空気に含まれる放射性有機ヨウ素が活性炭素繊維シートによって捕集かつ除去される。放射性有機ヨウ素除去フィルタは、空気がフィルタ部を確実に通過するから、空気に放射性有機ヨウ素が含まれていたとしても、その放射性有機ヨウ素を確実に除去することができ、放射性有機ヨウ素を除去した清浄な空気を作ることができる。放射性有機ヨウ素除去フィルタは、放射性有機ヨウ素が発生するおそれがある原子力関連施設や医療施設に使用することで、それら施設から発生する放射性有機ヨウ素を確実に除去することができ、それら施設の安全性を確保することができる。
【００１８】
フィルタ部が活性炭素繊維シートの内面を包被する袋状の第１繊維不織布と活性炭素繊維シートの外面を包被する袋状の第２繊維不織布とを含む放射性有機ヨウ素除去フィルタは、活性炭素繊維シートの内外面が繊維不織布によって包被されているから、活性炭素繊維シートが外部に直接露出することはなく、活性炭素繊維シートが外部に露出することによる活性炭素繊維シートへの水分の付着や活性炭素繊維シートの破損を防止することができ、活性炭素繊維シートに水分が滲入することによる活性炭素繊維シートの放射性有機ヨウ素除去性能の低下を防止することができる。
【００１９】
フィルタ部が第１繊維不織布と活性炭素繊維シートとの間に介在して第１繊維不織布の外面を包被する袋状の静電フィルタを含む放射性有機ヨウ素除去フィルタは、空気に含まれる塵埃（粗塵〜微細塵）（放射性塵埃を含む）がフィルタ部を形成する静電フィルタによって捕集かつ除去されるから、空気に含まれる放射性有機ヨウ素を除去することができるのみならず、塵埃を確実に除去することができ、放射性有機ヨウ素や塵埃を除去した清浄な空気を作ることができる。放射性有機ヨウ素除去フィルタは、活性炭素繊維シートの内側に静電フィルタが存在し、その静電フィルタによって空気に含まれる塵埃が捕集されるから、塵埃が活性炭素繊維シートに付着することがなく、塵埃が活性炭素繊維シートに付着することによる活性炭素繊維シートの放射性有機ヨウ素除去性能の低下を防ぐことができ、活性炭素繊維シートによって放射性有機ヨウ素を確実に除去することができる。
【００２０】
フィルタ部が活性炭素繊維シートと第２繊維不織布との間に介在して活性炭素繊維シートの外面を包被する袋状の静電フィルタを含む放射性有機ヨウ素除去フィルタは、空気に含まれる塵埃（粗塵〜微細塵）（放射性塵埃を含む）がフィルタ部を形成する静電フィルタによって捕集かつ除去されるから、空気に含まれる放射性有機ヨウ素を除去することができるのみならず、塵埃を確実に除去することができ、放射性有機ヨウ素や塵埃を除去した清浄な空気を作ることができる。
【００２１】
開口部につながる２つ以上のフィルタ部を有する放射性有機ヨウ素除去フィルタは、２つ以上のフィルタ部を形成することによってフィルタ部を通流する空気の通流量を多くすることができ、フィルタ部が１つの場合と比較し、単位時間当たりの空気の清浄処理量を多くすることができる。この放射性有機ヨウ素除去フィルタは、空気がフィルタ部を確実に通過するから、空気に放射性有機ヨウ素が含まれていたとしても、その放射性有機ヨウ素を活性炭素繊維シートによって確実に除去することができ、放射性有機ヨウ素を除去した清浄な空気を作ることができる。なお、フィルタ部が静電フィルタを含む放射性有機ヨウ素除去フィルタは、空気に含まれる放射性有機ヨウ素を除去することができるのみならず、静電フィルタによって空気に含まれる塵埃を除去することができ、塵埃や放射性有機ヨウ素を除去した清浄な空気を作ることができる。
【００２２】
放射性有機ヨウ素除去フィルタの未使用時において扁平状態にあるフィルタ部を開口部に向かって畳むことが可能な放射性有機ヨウ素除去フィルタは、放射性有機ヨウ素除去フィルタの未使用時（送風機の非稼働時）にフィルタ部を開口部に向かって畳むことで、フィルタ部全体の寸法をコンパクトにすることができ、フィルタ部が嵩張ることはなく、放射性有機ヨウ素除去フィルタの持ち運びや設置、保管を容易に行うことができる。
【００２３】
活性炭素繊維シートにおける面速が８〜２０ｃｍ／ｓｅｃの範囲にある放射性有機ヨウ素除去フィルタは、フィルタ部における空気の通過速度が速くかつフィルタ部を通過する空気の流量が多いから、空気に含まれる放射性有機ヨウ素を確実に捕集かつ除去することができるのみならず、単位時間当たりの放射性有機ヨウ素の除去量を多くすることができ、単位時間当たりに多量の空気を清浄処理することができる。フィルタ部が静電フィルタを含む放射性有機ヨウ素除去フィルタは、空気に含まれる放射性有機ヨウ素を除去することができ、静電フィルタによって空気に含まれる塵埃を除去することができるのみならず、単位時間当たりの放射性有機ヨウ素や塵埃の除去量を多くすることができ、単位時間当たりに多量の空気を清浄処理することができる。
【００２４】
第１および第２繊維不織布の厚みが０．２〜０．７ｍｍの範囲、静電フィルタの厚みが２〜７ｍｍの範囲、活性炭素繊維シートの厚みが２〜４ｍｍの範囲にある放射性有機ヨウ素除去フィルタは、単位体積当たりの放射性有機ヨウ素除去フィルタの重量を少なくすることができるのみならず、フィルタ部を容易に畳むことができ、放射性有機ヨウ素除去フィルタの未使用時（送風機の非稼働時）にフィルタ部全体の寸法をコンパクトにすることができる。この放射性有機ヨウ素除去フィルタは、フィルタ部が嵩張ることはなく、放射性有機ヨウ素除去フィルタの持ち運びや設置、保管を容易に行うことができる。
【００２５】
放射性有機ヨウ素を吸着するアミン類が活性炭素繊維シートを形成する活性炭素繊維に添着され、空気の湿度９５％における活性炭素繊維シートの放射性有機ヨウ素除去効率が９５％以上である放射性有機ヨウ素除去フィルタは、放射性有機ヨウ素を吸着するアミン類が活性炭素繊維に添着されており、空気の湿度９５％における活性炭素繊維シートの放射性有機ヨウ素除去効率が９５％以上であるから、空気の高湿度環境下において優れた放射性有機ヨウ素除去性能を発揮し、空気に放射性有機ヨウ素が含まれていたとしても、その放射性有機ヨウ素を確実に捕集かつ除去することができ、放射性有機ヨウ素を除去した清浄な空気を作ることができる。フィルタ部が静電フィルタを含む放射性有機ヨウ素除去フィルタは、空気に含まれる放射性有機ヨウ素を高い効率で除去することができるのみならず、静電フィルタによって空気に含まれる塵埃を除去することができ、塵埃や放射性有機ヨウ素を除去した清浄な空気を作ることができる。
【００２６】
アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある放射性有機ヨウ素除去フィルタは、アミン類のうち、放射性有機ヨウ素の高い吸着機能を有するトリエチレンジアミンＣ６Ｈ１２Ｎ２を利用することで、放射性有機ヨウ素がそのトリエチレンジアミンＣ６Ｈ１２Ｎ２に瞬時に吸着されるから、空気に放射性有機ヨウ素が含まれていたとしても、その放射性有機ヨウ素を確実に捕集かつ除去することができる。この放射性有機ヨウ素除去フィルタは、一度吸着した放射性有機ヨウ素をトリエチレンジアミンＣ６Ｈ１２Ｎ２が放出することはなく、捕集された放射性有機ヨウ素の放射性有機ヨウ素除去フィルタからの再飛散を確実に防ぐことができる。
【００２７】
活性炭素繊維シートが繊維不織布、織物、編み物のうちのいずれかの形態を有する放射性有機ヨウ素除去フィルタは、活性炭素繊維シートが不織布の形態を有する場合、放射性有機ヨウ素除去フィルタの通気性や加工性が向上するとともに、放射性有機ヨウ素除去フィルタにおける放射性有機ヨウ素の吸着速度を速くすることができる。また、活性炭素繊維シートが織物または編み物の形態を有する場合、放射性有機ヨウ素除去フィルタの通気性や加工性が向上するとともに、放射性有機ヨウ素除去フィルタの強度や柔軟性を向上させることができる。この放射性有機ヨウ素除去フィルタは、それを通過する空気の通過速度が速くかつそれを通過する空気の流量が多く、単位時間当たりの空気の清浄処理量を多くすることができるのみならず、空気に含まれる放射性有機ヨウ素を確実に捕集かつ除去することができる。
【図面の簡単な説明】
【００２８】
【図１】一例として示す放射性有機ヨウ素除去フィルタの斜視図。
【図２】図１のＡ−Ａ線端面図。
【図３】フィルタ部の作成手順の一例を示す図。
【図４】活性炭素繊維シートにおける放射性有機ヨウ素除去効率の試験装置を示す図。
【図５】図２と異なる態様の図１のＡ−Ａ線端面図。
【図６】図２と異なる態様の図１のＡ−Ａ線端面図
【図７】フィルタ部を畳んだ状態で示す放射性有機ヨウ素除去フィルタの斜視図。
【図８】フィルタ部を畳んだ状態で示す放射性有機ヨウ素除去フィルタの斜視図。
【図９】他の一例として示す放射性有機ヨウ素除去フィルタの斜視図。
【図１０】図８のＢ−Ｂ線端面図。
【図１１】図９と異なる態様の図８のＢ−Ｂ線端面図。
【図１２】図９と異なる態様の図８のＢ−Ｂ線端面図。
【図１３】フィルタ部を畳んだ状態で示す放射性有機ヨウ素除去フィルタの斜視図。
【図１４】フィルタ部を畳んだ状態で示す放射性有機ヨウ素除去フィルタの斜視図。
【発明を実施するための形態】
【００２９】
一例として示す放射性有機ヨウ素除去フィルタ１０Ａの斜視図である図１等の添付の図面を参照し、本発明にかかる放射性有機ヨウ素除去フィルタの詳細を説明すると、以下のとおりである。なお、図２は、図１のＡ−Ａ線端面図であり、図３は、フィルタ部１２の作成手順の一例を示す図である。図１では、フィルタ部１２に空気が流入し、空気によってフィルタ部１２が膨らんだ状態で示す。図１では、長さ方向を矢印Ｌで示し、幅方向を矢印Ｍで示す。
【００３０】
放射性有機ヨウ素除去フィルタ１０Ａは、放射性有機ヨウ素が発生するおそれがある原子力関連施設や医療施設の所定の箇所に設置され、それら施設の空気に含まれる放射性有機ヨウ素や塵埃の除去に使用される。なお、原子力関連施設には、原子力発電所、中間貯蔵施設、再処理工場、ＭＯＸ燃料工場、高速増殖炉、高速増殖炉用燃料工場、高速増殖炉用再処理工場、高レベル放射性廃棄物最終処分施設等がある。放射性有機ヨウ素除去フィルタ１０Ａは、空気を取り入れる開口部１１と、開口部１１につながるフィルタ部１２と、開口部１１に設置された送風機１３とから形成されている。
【００３１】
フィルタ部１２は、長さ方向へ長い袋状に成型されている。フィルタ部１２は、空気が進入すると膨らむ内部空間１４を有する。フィルタ部１２では、長さ方向へ延びる空気収容部分１５と幅寸法が収容部分１５のそれよりも小さい送風機固定部分１６とが一体になっている。フィルタ部１２の長さ方向の寸法や幅方向の寸法に特に限定はなく、それら寸法を自由に設定することができる。
【００３２】
フィルタ部１２の一例としては、図２に示すように、第１繊維不織布１７と静電フィルタ１８（エレクトレットフィルタ）と活性炭素繊維シート１９と第２繊維不織布２０とが重なり合う４層から作られている。図２に示すフィルタ部１２では、内部空間１４から幅方向外方へ向かって第１繊維不織布１７、静電フィルタ１８、活性炭素繊維シート１９、第２繊維不織布２０の順に並んでいる。
【００３３】
図２に示すフィルタ部１２を作るには、第１繊維不織布１７、静電フィルタ１８、活性炭素繊維シート１９、第２繊維不織布２０の各原反を所定の形状に裁断した後、それらを重ね合わせて４層の積層物を作り、図３示すように、第１繊維不織布１７が表となるように積層物を折り曲げ、積層物の側縁部２１を縫着（縫製）する。側縁部２１を縫着した後、図３に矢印Ｎ１で示すように、第２繊維不織布２０が表となるように積層物を裏返し、積層物の端縁部２２を縫着する。側縁部２１と端縁部２２とを縫着することで、フィルタ部１２を袋状に成型することができ、開口部１１を有する４層構造のフィルタ部１２を作ることができる。次に、フィルタ部１２の固定部分１６に送風機１３を取り付けて４層構造の放射性有機ヨウ素除去フィルタ１０Ａが完成する。
【００３４】
第１繊維不織布１７は、内部空間１４の側（最内層）に位置し、袋状に成型されて静電フィルタ１８の内面全域を包被している。第１繊維不織布１７は、静電フィルタ１８を保護する役割を有し、フィルタ１８がフィルタ部１２の内部空間１４に直接露出することによるフィルタ１８への水分の付着やフィルタ１８の破損を防止する。第１繊維不織布１７には、高い通気性および高い強度を有するそれを使用することが好ましい。
【００３５】
第１繊維不織布１７は、その厚みが０．２〜０．７ｍｍの範囲、好ましくは０．４〜０．５ｍｍである。第１繊維不織布１７の厚みが０．２ｍｍ未満では、不織布１７の強度が低下し、不織布１７が破損し易く、静電フィルタ１８を保護することができない。第１繊維不織布１７の厚みが０．７ｍｍを超過すると、不織布１７における通気性が低下し、その結果、フィルタ部１２の通気性が低下して空気の清浄処理効率が低下する。
【００３６】
第２繊維不織布２０は、活性炭素繊維シート１９の外側に位置し、袋状に成型されて活性炭素繊維シート１９の外面全域を包被している。第２繊維不織布２０は、活性炭素繊維シート１９を保護する役割を有し、シート１９が外部に直接露出することによるシート１９への水分の付着やシート１９の破損を防止し、シート１９に水分が滲入することによるシート１９の放射性有機ヨウ素除去性能の低下を防止する。第２繊維不織布２０には、高い通気性および高い強度を有するそれを使用することが好ましい。
【００３７】
第２繊維不織布２０は、その厚みが０．２〜０．７ｍｍの範囲、好ましくは０．４〜０．５ｍｍである。第２繊維不織布２０の厚みが０．２ｍｍ未満では、不織布２０の強度が低下し、不織布２０が破損し易く、活性炭素繊維シート１９を保護することができない。第２繊維不織布２０の厚みが０．７ｍｍを超過すると、不織布２０における通気性が低下し、その結果、フィルタ部１２の通気性が低下して空気の清浄処理効率が低下する。なお、第１繊維不織布１７や第２繊維不織布２０としては、ケミカルボンド不織布、サーマルボンド不織布、エアレイド不織布、スパンボンド不織布、メルトブロー不織布、スパンレース不織布、ニードルパンチ不織布、ステッチボンド不織布を使用することができる。
【００３８】
静電フィルタ１８は、第１繊維不織布１７の外側に位置し、袋状に成型されて第１繊維不織布１７の全域外面（活性炭素繊維シート１９の内面全域）を包被している。静電フィルタ１８は、原子力関連施設内や医療施設内の空気に含まれる塵埃（粗塵〜微細塵）（放射性塵埃を含む）の除去に使用される。静電フィルタ１８には、圧力損失が少なく、高い通気性および高い集塵性能を有するそれを使用することが好ましい。
【００３９】
静電フィルタ１８は、その厚みが２〜７ｍｍの範囲、好ましくは４〜５ｍｍである。静電フィルタ１８の厚みが２ｍｍ未満では、フィルタ１８の強度が低下してフィルタ１８が破損し易くなるのみならず、フィルタ１８の集塵性能が低下し、フィルタ１８の塵埃捕集効率が低下する。静電フィルタ１８の厚みが７ｍｍを超過すると、フィルタ１８における通気性が低下し、その結果、フィルタ部１２の通気性が低下して空気の清浄処理効率が低下する。
【００４０】
活性炭素繊維シート１９は、静電フィルタ１８の外側に位置し、袋状に成型されて静電フィルタ１８の外面全域（第２繊維不織布２０の内面全域）を包被している。活性炭素繊維シート１９は、原子力関連施設内や医療施設内の空気に放射性有機ヨウ素が含まれている場合、その放射性有機ヨウ素の除去に使用される。活性炭素繊維シート１９には、圧力損失が少なく、高い通気性および高い放射性有機ヨウ素捕集性能を有するそれを使用することが好ましい。活性炭素繊維シート１９は、活性炭素繊維から作られ、繊維不織布、織物、編み物のうちのいずれかの形態を有する。
【００４１】
活性炭素繊維シート１９が不織布の形態を有する場合、放射性有機ヨウ素除去フィルタ１０Ａの通気性や加工性が向上するとともに、放射性有機ヨウ素除去フィルタ１０Ａにおける放射性有機ヨウ素の吸着速度を速くすることができる。また、活性炭素繊維シート１９が織物または編み物の形態を有する場合、放射性有機ヨウ素除去フィルタ１０Ａの通気性や加工性が向上するとともに、放射性有機ヨウ素除去フィルタ１０Ａの強度や柔軟性を向上させることができる。活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。
【００４２】
活性炭素繊維には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。活性炭素繊維シート１９では、放射性有機ヨウ素が活性炭素繊維のミクロポアに捕集されるとともに、活性炭素繊維に添着されたトリエチレンジアミンＣ６Ｈ１２Ｎ２が放射性有機ヨウ素を吸着する。
【００４３】
トリエチレンジアミンＣ６Ｈ１２Ｎ２の添着量が１０重量％未満では、トリエチレンジアミンＣ６Ｈ１２Ｎ２を活性炭素繊維の全域に添着させることができない場合があり、トリエチレンジアミンＣ６Ｈ１２Ｎ２を介して放射性有機ヨウ素を活性炭素繊維に十分に吸着させることができず、放射性有機ヨウ素除去フィルタ１０Ａにおける放射性有機ヨウ素の除去性能が不十分になる場合がある。トリエチレンジアミンＣ６Ｈ１２Ｎ２の添着量が２０重量％を超過すると、トリエチレンジアミンＣ６Ｈ１２Ｎ２が活性炭素繊維のミクロポアを塞いでしまう場合があり、放射性有機ヨウ素をミクロポアにおいて捕集することができない場合がある。
【００４４】
アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。なお、活性炭素繊維にアミン類が添着されておらず、活性炭素繊維シート１９がアミン類を添着していない活性炭素繊維から作られていてもよい。
【００４５】
活性炭素繊維シート１９は、その厚みが２〜４ｍｍの範囲、好ましくは３ｍｍである。活性炭素繊維シート１９の厚みが２ｍｍ未満では、シート１９の強度が低下してシート１９が破損し易くなるのみならず、シート１９の放射性有機ヨウ素捕集性能が低下し、シート１９の放射性有機ヨウ素捕集効率が低下する。活性炭素繊維シート１９の厚みが４ｍｍを超過すると、シート１９における通気性が低下し、その結果、フィルタ部１２の通気性が低下して空気の清浄処理効率が低下する。また、シート１９の圧力損失が増加してシート１９の後記する面速が低下する。
【００４６】
送風機１３は、外部の空気をフィルタ１０Ａの開口部１１からフィルタ部１２の内部空間１４（空気収容部分１５）に強制的に送り込む。送風機１３は、その一端部２３が開口部１１からフィルタ部１２の固定部分１６の内側に挿入され、金属製またはプラスチック製のベルト状締結具２４によって固定部分１６に着脱可能に固定されている。ベルト状締結具２４によって固定部分１６を締め付けることにより、固定部分１６が送風機１３の一端部２３とベルト状締結具２４とに挟み込まれた状態になり、送風機１３の一端部２３とフィルタ部１２の固定部分１６とが固定される。送風機１３には、図示はしていないが、ＯＮ／ＯＦＦスイッチが取り付けられ、電源に接続する電線が取り付けられている。
【００４７】
放射性有機ヨウ素除去フィルタ１０Ａを使用するには、それを原子力関連施設や医療施設の所定の箇所に設置し、送風機１３のＯＮ／ＯＦＦスイッチをＯＮにする。ＯＮ／ＯＦＦスイッチをＯＮにすると、電線から送風機１３に電力が供給され、送風機１３が稼動する。外部の空気は、図１に矢印Ｎ２で示すように、送風機１３によってフィルタ１０Ａの開口部１１からフィルタ部１２の内部空間１４に流入する。
【００４８】
空気が内部空間１４に流入すると、空気の流入とフィルタ部１２の空気抵抗とによってフィルタ部１２の収容部分１５が膨張するが、通気性を有するフィルタ部１２を空気が通流し、図１に矢印Ｎ３で示すように、空気がフィルタ部１２を通って内部空間１４から外部に流出する。図２に示す放射性有機ヨウ素除去フィルタ１０Ａでは、空気がフィルタ部１２を通流するときに、空気に含まれる塵埃が静電フィルタ１８に捕集され、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、空気が清浄される。
【００４９】
図４は、活性炭素繊維シート１９における放射性有機ヨウ素除去効率の試験装置５０を示す図である。活性炭素繊維シート１９では、その面速が８〜２０ｃｍ／ｓｅｃの範囲、好ましくは、１５〜２０ｃｍ／ｓｅｃの範囲にあり、空気の湿度９５％における放射性有機ヨウ素除去効率が９５％以上、好ましくは９７％以上、より好ましくは９９．９９９％以上である。面速が８ｃｍ／ｓｅｃ未満では、単位時間当たりの空気の清浄処理量を多くすることができない。面速が２０ｃｍ／ｓｅｃを超過すると、活性炭素繊維シート１９を通過する空気の速度が必要以上に速くなり、シート１９が放射性有機ヨウ素を捕集かつ吸着することができない場合がある。空気の湿度９５％における放射性有機ヨウ素除去効率が９５％未満では、空気に含まれる放射性有機ヨウ素を確実に除去することができない場合がある。
【００５０】
活性炭素繊維シート１９は、放射性有機ヨウ素を吸着するアミン類が活性炭素繊維に添着されており、空気の湿度９５％におけるシート１９の放射性有機ヨウ素除去効率が９５％以上であるから、空気の高湿度環境下において優れた放射性有機ヨウ素除去性能を発揮し、空気に放射性有機ヨウ素が含まれていたとしても、その放射性有機ヨウ素を確実に捕集かつ除去することができる。
【００５１】
活性炭素繊維シート１９における放射性有機ヨウ素除去効率は、図４に示す試験装置５０を利用し、その測定結果に基づいて割り出した。試験装置５０は、ボンベ５１、ガス流量計５２、光音響ガスモニタ５３（ガス濃度測定装置）、カートリッジ５４、空気流量計５５、吸気ポンプ５６から形成されている。ボンベ５１やガス流量計５２、光音響ガスモニタ５３、カートリッジ５４、空気流量計５５、吸気ポンプ５６は、管路５７を介して接続されている。カートリッジ５４の上流側の管路５７と下流側に管路５７とには、バイパス管路５８が接続されている。なお、管路５７には、カートリッジ５４への空気の流入とバイパス管路５８への空気の流入とを切り替える切替バルブ（図示せず）が設置されている。
【００５２】
ボンベ５１には、管路５７に供給するヨウ化メチルガスが収容されている。カートリッジ５４には、活性炭素繊維シート１９から作られた試験用シート５９が着脱可能に固定される。光音響ガスモニタ５３は、カートリッジ５４の上流側の管路５７および下流側に管路５７に接続されている。光音響ガスモニタ５３は、管路５７に流れる空気に含まれるヨウ化メチルの濃度を連続的に測定する。試験用シート５９の仕様は、トリエチレンジアミンＣ６Ｈ１２Ｎ２の添着量が１５．９重量％、目付が２０９ｇ／ｍ２、厚み寸法が３ｍ、比表面積が１４００〜１４５０、重量が０．３８ｇである。
【００５３】
試験手順は、以下のとおりである。試験用シート５９をカートリッジ５４に固定し、吸気ポンプ５６および光音響ガスモニタ５３を稼動させ、空気流量計５５の測定値を確認しつつ、所定流量（面速（１０〜２５ｃｍ／ｓｅｃ）を流量に換算した場合の流量）の空気を管路５７に流し、カートリッジ５４の下流側に延びる管路５７の露点の変化を監視した。露点測定値が設定した値（空気湿度９５％）の場合、切替バルブを介してカートリッジ５４への空気の流入を停止し、バイパス管路５８に一定流量の空気を流した。次に、ガス流量計５２の測定値を確認しつつ、ボンベ５１から一定量のヨウ化メチルガスを管路５７に供給し、光音響ガスモニタ５３を介して空気に含まれるヨウ化メチルガスの濃度が一定の濃度であることを確認した。
【００５４】
ヨウ化メチルガスの濃度が一定の濃度である場合、切替バルブを介してバイパス管路５８への空気の流入を停止し、カートリッジ５４に一定流量の空気を流し、光音響ガスモニタ５３を介してヨウ化メチルガスの濃度を連続して測定した。光音響ガスモニタ５３を利用し、カートリッジ５４の上流側の管路５７から空気をサンプリングしてその空気に含まれるヨウ化メチルの濃度を測定するとともに、カートリッジ５４の下流側の管路５７から空気をサンプリングしてその空気に含まれるヨウ化メチルの濃度を測定した。
【００５５】
ヨウ化メチルガスの濃度測定は、カートリッジ５４の下流側の濃度測定値がカートリッジ５４の上流側の濃度測定値の１／３に達するまで継続した。ヨウ化メチル除去効率（放射性有機ヨウ素除去効率）は、以下の式によって算出した。η＝（Ｃ１−Ｃ２）／Ｃ１×１００、ここで、ηはヨウ化メチル除去効率（放射性有機ヨウ素除去効率）（％）、Ｃ１はカートリッジ５４の上流側の空気に含まれるヨウ化メチルの濃度（ｐｐｍ）、Ｃ２はカートリッジ５４の下流側の空気に含まれるヨウ化メチルの濃度（ｐｐｍ）である。試験結果として、ヨウ化メチル除去効率（放射性有機ヨウ素除去効率）は、９９％以上を示した。なお、試験用フィルタ５９ではヨウ化メチル除去効率（放射性有機ヨウ素除去効率）９９％以上を示したが、それから割り出した活性炭素繊維シート１９の放射性有機ヨウ素除去効率として９５％以上を最低効率とし、９９．９９９％以上を最高効率とする。
【００５６】
活性炭素繊維シート１９では、活性炭素繊維の平均繊維径が１０〜１８μｍの範囲、好ましくは、１２〜１６μｍの範囲にある。平均繊維径が１８μｍを超過すると、活性炭素繊維の幾何学的な表面積が相対的に少なくなるため、活性炭素繊維シート１９における放射性有機ヨウ素の前記除去効率が得られなくなる場合がある。平均繊維径が１０μｍ未満では、活性炭素繊維シート１９の通気性が低下し、シート１９の圧力損失が増加してシート１９の面速が低下する。
【００５７】
活性炭素繊維シート１９では、その目付が１００〜３５０ｇ／ｍ２の範囲、好ましくは、１５０〜３００ｇ／ｍ２の範囲、より好ましくは、１８０〜２７０ｇ／ｍ２の範囲にある。また、そのみかけの嵩密度が０．０３〜０．１３ｇ／ｃｍ３の範囲、好ましくは、０．０５〜０．０１１ｇ／ｃｍ３の範囲にある。活性炭素繊維シート１９の目付が１００ｇ／ｍ２未満であって、シート１９のみかけの嵩密度が０．０３ｇ／ｃｍ３未満では、シート１９の強度が弱く、シート１９がその形態を維持することができない場合がある。シート１９の目付が３５０ｇ／ｍ２を超過するとともに、シート１９のみかけの嵩密度が０．１３ｇ／ｃｍ３を超過すると、シート１９の通気性が低下し、シート１９の圧力損失が増加してシート１９の面速が低下する。
【００５８】
図２に示す放射性有機ヨウ素除去フィルタ１０Ａは、送風機１３を利用してフィルタ部１２の内部空間１４（空気収容部１５）に外部の空気を送り込み、フィルタ部１２を形成する静電フィルタ１８や活性炭素繊維シート１９にその空気を通流させるから、空気に含まれる塵埃（粗塵〜微細塵）（放射性塵埃を含む）が静電フィルタ１８によって捕集かつ除去され、放射性有機ヨウ素が活性炭素繊維シート１９によって捕集かつ除去される。放射性有機ヨウ素除去フィルタ１０Ａは、空気がフィルタ部１２を確実に通過するから、空気に放射性有機ヨウ素が含まれていたとしても、その放射性有機ヨウ素を確実に除去することができ、塵埃や放射性有機ヨウ素を除去した清浄な空気を作ることができる。この放射性有機ヨウ素除去フィルタ１０Ａは、放射性有機ヨウ素が発生するおそれがある原子力関連施設や医療施設に使用することで、それら施設から発生する放射性有機ヨウ素を確実に除去することができ、それら施設の安全性を確保することができる。
【００５９】
図２の放射性有機ヨウ素除去フィルタ１０Ａは、活性炭素繊維シート１９の内側に静電フィルタ１８が存在し、その静電フィルタ１８によって空気に含まれる塵埃が捕集されるから、塵埃が活性炭素繊維シート１９に付着することがなく、塵埃がシート１９に付着することによるシート１９の放射性有機ヨウ素除去性能の低下を防ぐことができ、シート１９によって放射性有機ヨウ素を確実に除去することができる。この放射性有機ヨウ素除去フィルタ１０Ａは、活性炭素繊維シート１９における面速が８〜２０ｃｍ／ｓｅｃの範囲にあり、フィルタ部１２における空気の通過速度が速くかつフィルタ部１２を通過する空気の流量が多いから、空気に含まれる塵埃や放射性有機ヨウ素を確実に捕集かつ除去することができるのみならず、単位時間当たりの塵埃や放射性有機ヨウ素の除去量を多くすることができ、単位時間当たりに多量の空気を清浄処理することができる。
【００６０】
図５は、図２と異なる態様の図１のＡ−Ａ線端面図である。フィルタ部１２の他の一例としては、図５に示すように、第１繊維不織布１７と活性炭素繊維シート１９と静電フィルタ１８と第２繊維不織布２０とが重なり合う４層から作られている。図５に示すフィルタ部１２では、内部空間１４から幅方向外方へ向かって第１繊維不織布１７、活性炭素繊維シート１９、静電フィルタ１８、第２繊維不織布２０の順に並んでいる。第１繊維不織布１７や活性炭素繊維シート１９、静電フィルタ１８、第２繊維不織布２０は図２のフィルタ部１２のそれらと同一であるから、図２の説明を援用することで、それらの説明は省略する。
【００６１】
図５に示すフィルタ部１２は、内部空間１４の側に位置し、袋状に成型されて活性炭素繊維シート１９の内面全域を包被する第１繊維不織布１７と、第１繊維不織布１７の外側に位置し、袋状に成型されて静電フィルタ１８の内面全域（第１繊維不織布１７の外面全域）を包被する活性炭素繊維シート１９と、活性炭素繊維シート１９の外側に位置し、袋状に成型されて第２繊維不織布２０の内面全域（活性炭素繊維シート１９の外面全域）を包被する静電フィルタ１８と、静電フィルタ１８の外側に位置し、袋状に成型されてフィルタ１８の外面全域を包被する第２繊維不織布２０とから形成されている。
【００６２】
図５に示すフィルタ部１２を作るには、第１繊維不織布１７、活性炭素繊維シート１９、静電フィルタ１８、第２繊維不織布２０の各原反を所定の形状に裁断した後、それらを重ね合わせて４層の積層物を作り、第１繊維不織布１７が表となるように積層物を折り曲げ、積層物の側縁部２１を縫着する（図３参照）。側縁部２１を縫着した後、図３に矢印Ｎ１で示すように、第２繊維不織布２０が表となるように積層物を裏返し、積層物の端縁部２２を縫着する。側縁部２１と端縁部２２とを縫着することで、フィルタ部１２を袋状に成型することができ、開口部１１を有する４層構造のフィルタ部１２を作ることができる。次に、フィルタ部１２の固定部分１６に送風機１３を取り付けて４層構造の放射性有機ヨウ素除去フィルタ１０Ａが完成する。
【００６３】
図５に示す放射性有機ヨウ素除去フィルタ１０Ａでは、送風機１３が稼動すると、外部の空気が送風機１３によってフィルタ１０Ａの開口部１１からフィルタ部１２の内部空間１４（空気収容部分１５）に流入する。内部空間１４は空気の流入とフィルタ部１２の空気抵抗とによって膨張するが、通気性を有するフィルタ部１２を空気が通流し、空気がフィルタ部１２を通って内部空間１４から外部に流出する（図１参照）。図５の放射性有機ヨウ素除去フィルタ１０Ａでは、空気がフィルタ部１２を通流するときに、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、さらに、空気に塵埃が含まれている場合、塵埃が静電フィルタ１８に捕集され、空気が清浄される。
【００６４】
図５に示す放射性有機ヨウ素除去フィルタ１０Ａは、送風機１３を利用してフィルタ部１２の内部空間１４に外部の空気を送り込み、フィルタ部１２を形成する活性炭素繊維シート１９や静電フィルタ１８にその空気を通流させるから、空気に含まれる放射性有機ヨウ素が活性炭素繊維シート１９によって捕集かつ除去され、塵埃（粗塵〜微細塵）（放射性塵埃を含む）が静電フィルタ１８によって捕集かつ除去される。放射性有機ヨウ素除去フィルタ１０Ａは、空気がフィルタ部１２を確実に通過するから、空気に放射性有機ヨウ素が含まれていたとしても、その放射性有機ヨウ素を確実に除去することができ、放射性有機ヨウ素や塵埃を除去した清浄な空気を作ることができる。
【００６５】
図５の放射性有機ヨウ素除去フィルタ１０Ａは、放射性有機ヨウ素が発生するおそれがある原子力関連施設や医療施設に使用することで、それら施設から発生する放射性有機ヨウ素を確実に除去することができ、それら施設の安全性を確保することができる。この放射性有機ヨウ素除去フィルタ１０Ａは、活性炭素繊維シート１９における面速が８〜２０ｃｍ／ｓｅｃの範囲にあり、フィルタ部１２における空気の通過速度が速くかつフィルタ部１２を通過する空気の流量が多いから、空気に含まれる放射性有機ヨウ素や塵埃を確実に捕集かつ除去することができるのみならず、単位時間当たりの放射性有機ヨウ素や塵埃の除去量を多くすることができ、単位時間当たりに多量の空気を清浄処理することができる。
【００６６】
図６は、図２と異なる態様の図１のＡ−Ａ線端面図である。フィルタ部１２の他の一例としては、図６に示すように、第１繊維不織布１７と活性炭素繊維シート１９と第２繊維不織布２０とが重なり合う３層から作られている。図６に示すフィルタ部１２では、内部空間１４から幅方向外方へ向かって第１繊維不織布１７、活性炭素繊維シート１９、第２繊維不織布２０の順に並んでいる。第１繊維不織布１７や活性炭素繊維シート１９、第２繊維不織布２０は図２のフィルタ部１２のそれらと同一であるから、図２の説明を援用することで、それらの説明は省略する。
【００６７】
図６に示すフィルタ部１２は、内部空間１４の側に位置し、袋状に成型されて活性炭素繊維シート１９の内面全域を包被する第１繊維不織布１７と、第１繊維不織布１７の外側に位置し、袋状に成型されて第２繊維不織布２０の内面全域（第１繊維不織布１７の外面全域）を包被する活性炭素繊維シート１９と、活性炭素繊維シート１９の外側に位置し、袋状に成型されてシート１９の外面全域を包被する第２繊維不織布２０とから形成されている。
【００６８】
図６に示すフィルタ部１２を作るには、第１繊維不織布１７、活性炭素繊維シート１９、第２繊維不織布２０の各原反を所定の形状に裁断した後、それらを重ね合わせて３層の積層物を作り、第１繊維不織布１７が表となるように積層物を折り曲げ、積層物の側縁部２１を縫着する（図３参照）。側縁部２１を縫着した後、図３に矢印Ｎ１で示すように、第２繊維不織布２０が表となるように積層物を裏返し、積層物の端縁部２２を縫着する。側縁部２１と端縁部２２とを縫着することで、フィルタ部１２を袋状に成型することができ、開口部１１を有する３層構造のフィルタ部１２を作ることができる。次に、フィルタ部１２の固定部分１６に送風機１３を取り付けて３層構造の放射性有機ヨウ素除去フィルタ１０Ａが完成する。
【００６９】
図６に示す放射性有機ヨウ素除去フィルタ１０Ａでは、送風機１３が稼動すると、外部の空気が送風機１３によってフィルタ１０Ａの開口部１１からフィルタ部１２の内部空間１４（空気収容部分１５）に流入する。内部空間１４は空気の流入とフィルタ部１２の空気抵抗とによって膨張するが、通気性を有するフィルタ部１２を空気が通流し、空気がフィルタ部１２を通って内部空間１４から外部に流出する（図１参照）。図６の放射性有機ヨウ素除去フィルタ１０Ａでは、空気がフィルタ部１２を通流するときに、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、空気が清浄される。
【００７０】
図６に示す放射性有機ヨウ素除去フィルタ１０Ａは、送風機１３を利用してフィルタ部１２の内部空間１４に外部の空気を送り込み、フィルタ部１２を形成する活性炭素繊維シート１９にその空気を通流させるから、放射性有機ヨウ素が活性炭素繊維シート１９によって捕集かつ除去される。この放射性有機ヨウ素除去フィルタ１０Ａは、空気がフィルタ部１２を確実に通過するから、空気に放射性有機ヨウ素が含まれていたとしても、その放射性有機ヨウ素を確実に除去することができ、放射性有機ヨウ素を除去した清浄な空気を作ることができる。
【００７１】
図６の放射性有機ヨウ素除去フィルタ１０Ａは、放射性有機ヨウ素が発生するおそれがある原子力関連施設や医療施設に使用することで、それら施設から発生する放射性有機ヨウ素を確実に除去することができ、それら施設の安全性を確保することができる。この放射性有機ヨウ素除去フィルタ１０Ａは、活性炭素繊維シート１９における面速が８〜２０ｃｍ／ｓｅｃの範囲にあり、フィルタ部１２における空気の通過速度が速くかつフィルタ部１２を通過する空気の流量が多いから、空気に含まれる放射性有機ヨウ素を確実に捕集かつ除去することができるのみならず、単位時間当たりの放射性有機ヨウ素の除去量を多くすることができ、単位時間当たりに多量の空気を清浄処理することができる。
【００７２】
なお、放射性有機ヨウ素除去フィルタ１０Ａが活性炭素繊維シート１９のみから作られていてもよい。この場合は、活性炭素繊維シート１９の原反を所定の形状に裁断した後、活性炭素繊維シート１９を折り曲げ、シート１９の側縁部２１を縫着する（図３参照）。側縁部２１を縫着した後、図３に矢印Ｎ１で示すように、活性炭素繊維シート１９を裏返し、シート１９の端縁部２２を縫着する。側縁部２１と端縁部２２とを縫着することで、フィルタ部１２を袋状に成型することができ、開口部１１を有する１層構造のフィルタ部１２を作ることができる。次に、フィルタ部１２の固定部分１６に送風機１３を取り付けて１層構造の放射性有機ヨウ素除去フィルタ１０Ａが完成する。
【００７３】
図７，８は、フィルタ部１２を畳んだ状態で示す放射性有機ヨウ素除去フィルタ１０Ａの斜視図である。図２，５，６に示す放射性有機ヨウ素除去フィルタ１０Ａは、その未使用時（送風機１３の非稼働時）において、扁平状態にあるフィルタ部１２を開口部１１に向かって畳むことができる。図７に示す放射性有機ヨウ素除去フィルタ１０Ａでは、扁平状態にあるフィルタ部１２が開口部１１に向かって丸め込まれ、フィルタ部１２が畳まれている。図８に示す放射性有機ヨウ素除去フィルタ１０Ａでは、扁平状態にあるフィルタ部１２が開口部１１に向かって折り曲げられ、フィルタ部１２が折り畳まれている。図２，５，６に示す放射性有機ヨウ素除去フィルタ１０Ａは、その未使用時にフィルタ部１２を開口部１１に向かって畳むことで、フィルタ部１２全体の寸法をコンパクトにすることができ、フィルタ部１２が嵩張ることはなく、放射性有機ヨウ素除去フィルタ１０Ａの持ち運びや設置、保管を容易に行うことができる。
【００７４】
図９は、他の一例として示す放射性有機ヨウ素除去フィルタ１０Ｂの斜視図であり、図１０は、図９のＢ−Ｂ線端面図である。図１１は、図９と異なる態様の図８のＢ−Ｂ線端面図であり、図１２は、図９と異なる態様の図８のＢ−Ｂ線端面図である。図９では、フィルタ部１２に空気が流入し、空気によってフィルタ部１２が膨らんだ状態で示す。図９では、長さ方向を矢印Ｌで示し、幅方向を矢印Ｍで示す。
【００７５】
この放射性有機ヨウ素除去フィルタ１０Ｂが図２のそれと異なるところは、２つのフィルタ部１２Ａ，１２Ｂが形成されている点にあり、その他の構成は図１の放射性有機ヨウ素除去フィルタ１０Ａと同一であるから、図１と同一の符号を付すとともに、図１の説明を援用することで、その他の構成の詳細な説明は省略する。なお、放射性有機ヨウ素除去フィルタ１０Ｂでは２つのフィルタ部１２Ａ，１２Ｂを有するが、フィルタ部は２つに限定されず、３つ以上のフィルタ部が作られていてもよい。
【００７６】
放射性有機ヨウ素除去フィルタ１０Ｂは、空気を取り入れる開口部１１と、開口部１１につながる２つのフィルタ部１２Ａ，１２Ｂと、開口部１１に設置された送風機１３とから形成されている。それらフィルタ部１２Ａ，１２Ｂは、長さ方向へ長い袋状に成型されている。フィルタ部１２Ａ，１２Ｂは、空気が進入すると膨らむ内部空間１４を有する。フィルタ部１２Ａ，１２Ｂでは、長さ方向へ延びる空気収容部分１５と幅寸法が収容部分１５のそれよりも小さい送風機固定部分１６とが一体になっている。フィルタ部１２Ａ，１２Ｂの長さ方向の寸法や幅方向の寸法に特に限定はなく、それら寸法を自由に設定することができる。
【００７７】
フィルタ部１２Ａ，１２Ｂの一例としては、図１０に示すように、第１繊維不織布１７と静電フィルタ１８と活性炭素繊維シート１９と第２繊維不織布２０とが重なり合う４層から作られている。図１０に示すフィルタ部１２Ａ，１２Ｂでは、内部空間１４から幅方向外方へ向かって第１繊維不織布１７、静電フィルタ１８、活性炭素繊維シート１９、第２繊維不織布２０の順に並んでいる。
【００７８】
図１０に示すフィルタ部１２Ａ，１２Ｂを作るには、第１繊維不織布１７、静電フィルタ１８、活性炭素繊維シート１９、第２繊維不織布２０の各原反を所定の形状に裁断した後、それらを重ね合わせて４層の積層物を２つ作り、第２繊維不織布２０が表となるようにそれら積層物を重ね合わせ、それら積層物の周縁部２５を縫着する。周縁部２５を縫着することで、フィルタ部１２Ａ，１２Ｂを袋状に成型することができ、開口部１１を有する４層構造のフィルタ部１２Ａ，１２Ｂを作ることができる。次に、フィルタ部１２Ａ，１２Ｂの固定部分１６に送風機１３を取り付けて４層構造の放射性有機ヨウ素除去フィルタ１０Ｂが完成する。
【００７９】
フィルタ部１２Ａ，１２Ｂの一例としては、図１１に示すように、第１繊維不織布１７と活性炭素繊維シート１９と静電フィルタ１８と第２繊維不織布２０とが重なり合う４層から作られている。図１１に示すフィルタ部１２Ａ，１２Ｂでは、内部空間１４から幅方向外方へ向かって第１繊維不織布１７、活性炭素繊維シート１９、静電フィルタ１８、第２繊維不織布２０の順に並んでいる。
【００８０】
図１１に示すフィルタ部１２Ａ，１２Ｂを作るには、第１繊維不織布１７、活性炭素繊維シート１９、静電フィルタ１８、第２繊維不織布２０の各原反を所定の形状に裁断した後、それらを重ね合わせて４層の積層物を２つ作り、第２繊維不織布２０が表となるようにそれら積層物を重ね合わせ、それら積層物の周縁部２５を縫着する。周縁部２５を縫着することで、フィルタ部１２Ａ，１２Ｂを袋状に成型することができ、開口部１１を有する４層構造のフィルタ部１２Ａ，１２Ｂを作ることができる。次に、フィルタ部１２Ａ，１２Ｂの固定部分１６に送風機１３を取り付けて４層構造の放射性有機ヨウ素除去フィルタ１０Ｂが完成する。
【００８１】
フィルタ部１２Ａ，１２Ｂの他の一例としては、図１２に示すように、第１繊維不織布１７と活性炭素繊維シート１９と第２繊維不織布２０とが重なり合う３層から作られている。図１２に示すフィルタ部１２Ａ，１２Ｂでは、内部空間１４から幅方向外方へ向かって第１繊維不織布１７、活性炭素繊維シート１９、第２繊維不織布２０の順に並んでいる。
【００８２】
図１２に示すフィルタ部１２Ａ，１２Ｂを作るには、第１繊維不織布１７、活性炭素繊維シート１９、第２繊維不織布２０の各原反を所定の形状に裁断した後、それらを重ね合わせて３層の積層物を２つ作り、第２繊維不織布２０が表となるようにそれら積層物を重ね合わせ、それら積層物の周縁部２５を逢着する。周縁部２５を逢着することで、フィルタ部１２Ａ，１２Ｂを袋状に成型することができ、開口部１１を有する３層構造のフィルタ部１２Ａ，１２Ｂを作ることができる。次に、フィルタ部１２Ａ，１２Ｂの固定部分１６に送風機１３を取り付けて３層構造の放射性有機ヨウ素除去フィルタ１０Ｂが完成する。
【００８３】
第１繊維不織布１７や静電フィルタ１８、活性炭素繊維シート１９、第２繊維不織布２０は、図１の放射性有機ヨウ素除去フィルタ１０Ａのそれらと同一であるから、図１の説明を援用することで、その説明は省略する。なお、第１繊維不織布１７や静電フィルタ１８、活性炭素繊維シート１９、第２繊維不織布２０の厚みは、図１の放射性有機ヨウ素除去フィルタ１０Ａのそれと同一である。活性炭素繊維シート１９を形成する活性炭素繊維には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、図１の放射性有機ヨウ素除去フィルタ１０Ａのそれと同一である。アミン類としては、トリエチレンジアミンＣ６Ｈ１２Ｎ２の他に、既述のアミン類を使用することもできる。活性炭素繊維シート１９の面速や放射性有機ヨウ素除去効率は、図１の放射性有機ヨウ素除去フィルタ１０Ａのそれと同一である。活性炭素繊維シート１９の目付やみかけの嵩密度、活性炭素繊維の平均繊維径は、図１の放射性有機ヨウ素除去フィルタ１０Ａのそれらと同一である。
【００８４】
放射性有機ヨウ素除去フィルタ１０Ｂを使用するには、それを原子力関連施設や医療施設の所定の箇所に設置し、送風機１３のＯＮ／ＯＦＦスイッチをＯＮにする。ＯＮ／ＯＦＦスイッチをＯＮにすると、電線から送風機１３に電力が供給され、送風機１３が稼動する。外部の空気は、図１に矢印Ｎ２で示すように、送風機１３によってフィルタ１０Ａの開口部１１からフィルタ部１２Ａ，１２Ｂの内部空間１４に流入する。
【００８５】
空気が内部空間１４に流入すると、空気の流入とフィルタ部１２Ａ，１２Ｂの空気抵抗とによってフィルタ部１２Ａ，１２Ｂの収容部分１５が膨張するが、通気性を有するフィルタ部１２Ａ，１２Ｂを空気が通流し、図９に矢印Ｎ３で示すように、空気がフィルタ部１２Ａ，１２Ｂを通って内部空間１４から外部に流出する。
【００８６】
図１０に示す放射性有機ヨウ素除去フィルタ１０Ｂでは、空気がフィルタ部１２Ａ，１２Ｂを通流するときに、空気に含まれる塵埃が静電フィルタ１８に捕集され、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、空気が清浄される。
【００８７】
図１１に示す放射性有機ヨウ素除去フィルタ１０Ｂでは、空気がフィルタ部１２Ａ，１２Ｂを通流するときに、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、空気に含まれる塵埃が静電フィルタ１８に捕集され、空気が清浄される。
【００８８】
図１２に示す放射性有機ヨウ素除去フィルタ１０Ｂでは、空気がフィルタ部１２Ａ，１２Ｂを通流するときに、空気に放射性有機ヨウ素が含まれている場合、その放射性有機ヨウ素が活性炭素繊維シート１９に捕集されるとともに、活性炭素繊維に添着されたトリエチレンジアミンＣ６Ｈ１２Ｎ２に吸着保持され、空気が清浄される。
【００８９】
放射性有機ヨウ素除去フィルタ１０Ｂは、図２，３に示す放射性有機ヨウ素除去フィルタ１０Ａが有する効果に加え、以下の効果を有する。放射性有機ヨウ素除去フィルタ１０Ｂは、２つのフィルタ部１２Ａ，１２Ｂを形成することによってフィルタ部１２Ａ，１２Ｂを通流する空気の通流量を多くすることができ、フィルタ部が１つの場合と比較し、単位時間当たりの空気の清浄処理量を多くすることができる。
【００９０】
図１３，１４は、フィルタ部１２Ａ，１２Ｂを畳んだ状態で示す放射性有機ヨウ素除去フィルタ１０Ｂの斜視図である。図１０〜１２に示す放射性有機ヨウ素除去フィルタ１０Ｂは、その未使用時において、扁平状態にあるフィルタ部１２Ａ，１２Ｂを開口部１１に向かって畳むことができる。図１３に示す放射性有機ヨウ素除去フィルタ１０Ｂでは、扁平状態にあるフィルタ部１２Ａ，１２Ｂが重ね合わされ、重なり合うフィルタ部１２Ａ，１２Ｂが開口部１１に向かって丸め込まれ、フィルタ部１２Ａ，１２Ｂが畳まれている。図１４に示す放射性有機ヨウ素除去フィルタ１０Ｂでは、扁平状態にあるフィルタ部１２Ａ，１２Ｂが重ね合わされ、重なり合うフィルタ部１２Ａ，１２Ｂが開口部１１に向かって折り曲げられ、フィルタ部１２Ａ，１２Ｂが折り畳まれている。
【００９１】
図１３，１４に示す放射性有機ヨウ素除去フィルタ１０Ｂは、その未使用時（送風機１３の非稼働時）にフィルタ部１２Ａ，１２Ｂを開口部１１に向かって畳むことで、フィルタ部１２Ａ，１２Ｂ全体の寸法をコンパクトにすることができ、フィルタ部１２Ａ，１２Ｂが嵩張ることはなく、放射性有機ヨウ素除去フィルタ１０Ｂの持ち運びや設置、保管を容易に行うことができる。
【符号の説明】
【００９２】
１０Ａ    放射性有機ヨウ素除去フィルタ
１０Ｂ    放射性有機ヨウ素除去フィルタ
１１    開口部
１２    フィルタ部
１２Ａ    フィルタ部
１２Ｂ    フィルタ部
１３    送風機
１４    内部空間
１７    第１繊維不織布
１８    静電フィルタ
１９    活性炭素繊維シート
２０    第２繊維不織布
【図１】
2012237688.tif 000003
【図２】
2012237688.tif 000004
【図３】
2012237688.tif 000005
【図４】
2012237688.tif 000006
【図５】
2012237688.tif 000007
【図６】
2012237688.tif 000008
【図７】
2012237688.tif 000009
【図８】
2012237688.tif 000010
【図９】
2012237688.tif 000011
【図１０】
2012237688.tif 000012
【図１１】
2012237688.tif 000013
【図１２】
2012237688.tif 000014
【図１３】
2012237688.tif 000015
【図１４】
2012237688.tif 000016